(57)【特許請求の範囲】
【請求項１】
温水が循環する熱交換器を有する室内機と、温水が循環する温水マットと、この温水マット及び前記室内機に温水を供給するためのボイラーを有する熱源機とを備え、前記温水マットへの温水の循環を制御する制御弁を前記熱源機に設けた暖房装置において、前記室内機と温水マットと制御弁とのセットを複数備えると共に、室内機及び温水マットのセットの夫々を異なった室内に設置し、前記熱源機の制御器には試運転を制御するための制御器を設け、前記室内機には同室に配置された温水マットの温度を検知する温度検知器を設け、前記熱源機には試運転を開始させるための試運転スイッチを設け、前記制御器には、前記試運転スイッチが操作されると、一つの室内機に温水を流すと共に、一つの制御弁を開いて一つの温水マットに温水を流し、この温水の流れている温水マットの温度上昇がある特定の室内機と同室のものであると、前記一つの制御弁のアドレスコードを前記特定のある室内機と対応したアドレスコードとして設定し、このアドレスコードの設定処理を全ての制御弁において行う制御手段を設け、前記制御器はある室内機から温水マットの運転信号を入力するとこの室内機に対応したアドレスコードの設定された制御弁を開くことを特徴とする暖房装置。
【発明の詳細な説明】
【０００１】
【発明の属する技術分野】
この発明は、複数の暖房機、例えば、エアコンの室内機で室内空気の加熱を行うと共に、温水マットで床暖房を行うように構成した暖房装置に関する。
【０００２】
【従来の技術】
エアコンの室内機と温水マットとで室内を暖房するようにした暖房装置は、特開平４−２３６０１９号公報に記載されているものがある。これは、エアコンの室内機で室内空気を加熱すると共に、温水マットで床から暖房するようにしたもので、室内機によって空気の対流により部屋を暖め、温水マットによって熱の伝導により部屋を暖めているものである。
【０００３】
【発明が解決しようとする課題】
前述したような暖房装置では、複数セットの分岐管を設けることにより室内機と温水マットとを複数セット接続可能に構成すると、複数の部屋を同時に暖房でき、快適性や利便性も更に増すと考えられるが、配管が多数になり、配管接続作業に誤りが生ずる恐れが高くなる。配管作業に誤りを生じないように確認作業をすると、この確認作業のため作業効率が低下する。しかし、この確認作業は必要不可欠のため、省略することはできない。
【０００４】
この発明は、作業効率を向上させた暖房装置を提供するものである。
【０００５】
【０００６】
【０００７】
【課題を解決するための手段】
請求項１に記載の発明は、温水が循環する熱交換器を有する室内機と、温水が循環する温水マットと、この温水マット及び前記室内機に温水を供給するためのボイラーを有する熱源機とを備え、前記温水マットへの温水の循環を制御する制御弁を前記熱源機に設けた暖房装置において、前記室内機と温水マットと制御弁とのセットを複数備えると共に、室内機及び温水マットのセットの夫々を異なった室内に設置し、前記熱源機の制御器には試運転を制御するための制御器を設け、前記室内機には同室に配置された温水マットの温度を検知する温度検知器を設け、前記熱源機には試運転を開始させるための試運転スイッチを設け、前記制御器には、前記試運転スイッチが操作されると、一つの室内機に温水を流すと共に、一つの制御弁を開いて一つの温水マットに温水を流し、この温水の流れている温水マットの温度上昇がある特定の室内機と同室のものであると、前記一つの制御弁のアドレスコードを前記ある特定の室内機と対応したアドレスコードとして設定し、このアドレスコードの設定処理を全ての制御弁において行う制御手段を設け、前記制御器はある室内機から温水マットの運転信号を入力するとこの室内機に対応したアドレスコードの設定された制御弁を開くように制御させるよう構成したものである。
【０００８】
【発明の実施の形態】
本発明の暖房装置の実施例を図面に基づき説明する。図１は全体構成の説明図であり、１０１は熱源機で、水を加熱し温水にするためのバーナー１０２を備えている。１０３Ａ、１０３Ｂ、１０３Ｃはエアコンの室内機で、温水が循環する熱交換器を内蔵しており、吸込空気を加熱できるよう構成している。１０４Ａ、１０４Ｂ、１０４Ｃは温水マットで、内部に温水が循環し、この温水の循環により室内の床暖房を行うようになっている。よって、室内機は空気の対流によって暖房を行い、温水マットは熱の伝導によって暖房を行っている。１０５は制御手段で、例えばマイクロコンピュータから構成されており、この制御手段は室内機１０３Ａ〜Ｃと温水マット１０４Ａ〜Ｃとの組合せを自動的に設定するものである。
【０００９】
このように構成された暖房機では、室内機のリモコン（図示せず）で、室内機１０３Ａの暖房運転開始及び床マットの運転開始の信号が送出されると、室内機１０３Ａからこの信号が制御装手段１０５に送信され、この信号を制御手段１０５が受けると、制御手段１０５は予め室内機１０３Ａと温水マット１０４Ａとの組合せを設定し（予め、試運転時などの最初の運転時に組み合わせを設定しておく）これを把握しているので、室内機１０３Ａに対応している（例えば室内機と同室に設置されている）温水マット１０４Ａへ温水を流すために室内機１０３Ａに対応した開閉弁を開く。すると、同一の室内に設置された室内機１０３Ａと温水マット１０４Ａとが運転される。このように、室内機と温水マットとの組合せが予め設定されているので、同一の室内に設置された室内機１０３Ａと温水マット１０４Ａとを運転するように制御し、ある室内機（例えば、室内機１０３Ａ）とこの室内機の設置された部屋とは別の部屋に設置された温水マット（例えば、温水マット１０４Ｂ、あるいは１０４Ｃ）とが一緒に運転されることはないように制御されている。
【００１０】
従って、暖房装置の据え付け工事の際に配管の接続関係を注意する必要はなく、設置工事の作業効率が向上する。しかも、工事終了後室内機と温水マット組合せに設定しているので、誤配管がなくなる。
【００１１】
【実施例】
次に、具体的な実施例について説明する。
【００１２】
図２はこの発明の具体的な実施例に対応するブロック図で、１は暖房装置としても利用でき、且つ、冷房装置としても利用できる空気調和装置である。２は熱源機で、内蔵したボイラーで水を加熱し、４台の室内機３Ａ、３Ｂ、３Ｃ、３Ｄ、４つの温水マット４Ａ、４Ｂ、４Ｃ、４Ｄ、給湯設備（浴槽やシャワー、台所の給湯などを行う設備）５に温水を供給するためのものである。室内機へ流れる温水を制御するための制御弁（熱動弁）６Ａ、６Ｂ、６Ｃ、６Ｄは各室内機３Ａ〜３Ｄ内に配置されている。また、温水マット４Ａ〜Ｄに流れる温水を制御するために開閉弁を用いた制御弁７Ａ、７Ｂ、７Ｃ、７Ｄは、熱源機２に配置されている。更に、前記室内機３Ａ〜Ｄは冷房運転するために利用するエアコン用室外機８に冷媒管で接続されている。
【００１３】
９Ａ、９Ｂ、９Ｃ、９Ｄは室内機に試運転時に接続される温水マットの温度検知器で、通常は試運転時のみ接続され、試運転終了後取り外されるものである。この温度検知器は、その温度検知部分が温水マットの上に置かれ、温水マットの温度上昇を検知するためのものである。
【００１４】
５９は制御器で、熱源機などを制御するためのものでる。６１は試運転スイッチで、このスイッチが押されると（操作されると）、制御器及び制御手段とで試運転チェックを行うものである。９２は集中コントローラで、このコントローラは、エアコン室内機、温水マット、給湯設備をＯＮ、ＯＦＦさせるためのものである。
【００１５】
図３は室内機と温水マットの外観図を示す。１０は温水プラグ、１１は温水コネクタ、１２は温水管、１３はオーバーマットで、このオーバーマットは温水マットの上に敷かれるものである。
【００１６】
図４は室内機３Ａの温水及び冷媒回路図で、１５は温水の流れる温水用熱交換器で、室内空気を加熱するためのものである。１６は液状の冷媒が流れる冷媒用熱交換器で、冷媒が蒸発して空気の熱を奪うため、室内空気を冷却するためのものである。
【００１７】
これら熱交換器は、熱交換器１６が熱交換器１５より風上側に配置されている。このため、除湿運転時には、予め熱交換器１６で冷却・除湿された室内空気が熱交換器１５で再加熱されるような配置関係になっている。
【００１８】
１７は吹き出し温度を検知するための温度検知器、１８は吸込空気を検知するための温度検知器、１９は熱交換器の温度を検知するための温度検知器、２０は室内機の制御器で、この制御器は、室内機の送風機（図示せず）、風向変更板（図示せず）などの制御や、熱源機やエアコンの室外機などと信号を授受するものである。２１は冷媒管、２２は温水管である。
【００１９】
図５はエアコン室外機の冷媒回路を示し、２５は冷媒を圧縮するための圧縮機、２６は室外熱交換器である。２９Ａ、２９Ｂ、２９Ｃ、２９Ｄは開閉弁で、夫々の室内機への冷媒を循環させたり、循環停止させたりするものである。３０Ａ、３０Ｂ、３０Ｃ、３０Ｄは電動弁で、夫々の室内機に流れる冷媒の循環量を制御するためのものである。３３はマフラ、３４はアキュームレータである。３１Ａ、３１Ｂ、３１Ｃ、３１Ｄはサービスバルブである。
【００２０】
図６は熱源機の主に温水などの回路図を示し、４０はバーナー、４１は熱交換器で、内部の水道水がバーナーの熱で加熱されるものである。４２は温度検知器で、この温度に応じてバーナー４０の燃焼が制御される。４３はガス比例弁、４４はガス停止弁である。４５、４６は分岐管、４７は制御器、４８、４９は開閉弁で、この開閉弁につながっている給水管への温水を循環させたり、循環停止させたりするものである。５０は開閉弁、５１バイパス管、５２はヘッダ、５３は温水管、５４は循環ポンプ、５５は分岐管、５６は温度検知器、５７は制御弁、５８は水道管につながれている管である。制御器５９は熱源機２の各種制御を行うものである。６０は制御手段で、特定の室内機とこの室内機に対応した（室内機と同室に配置された、あるいは室内機に最も近くに配置された）温水マットとの組合せを、試運転時に設定するものである。６２は試運転時のエラー表示などを行うための表示器である。
【００２１】
このように構成された空気調和装置は、その試運転時に次に説明するように動作する。室内機３Ａ、３Ｂ、３Ｃ、３Ｄの４台があるが、図７は室内機３Ａ（図ではＡ号機と記載する）についてのみの動作を示している。
【００２２】
大まかな制御の流れとしては、最初に、暖房試運転をチェックして、次に冷房試運転をチェックして、最後に床暖房試運転をチェックするような制御の流れとなる。
【００２３】
最初に、暖房試運転をチェックする。室内機３Ａに水張りがされているか否かを判別し（Ｓ１）、水張りが終了していれば、暖房運転か否かを判別する（Ｓ２）。暖房運転であれば、判定条件になっているか否かを判別する（Ｓ３）。この判定条件とは、例えば、ある一定時間（１分間）経過されているかなど、判定できる条件になっているか否か判断するものである。判定条件になっていれば、判定を行い（Ｓ４）、暖房運転が適正に行われていれば（温度検知器１９の検知温度が例えば４５℃以上であれば、つまりＯＫであれば）、ＯＫの信号を室内機から熱源機へ送信し（Ｓ５）、ＮＧ（ＯＫでない）であれば、ＮＧの信号を室内機から熱源機へ送信する（Ｓ６）。
【００２４】
次に、冷房試運転をチェックする。まず、冷房試運転か否かを判断し（Ｓ７）、冷房試運転であれば、判定条件になっているか（３分間経過しているか）、否かを判別する（Ｓ８）。判定条件になっていれば、判定を行い（Ｓ９）、ＯＫであれば（温度検知器１９の検知温度が例えば６℃以下であれば）、ＯＫの信号を室内機から熱源機へ送信し（Ｓ１０）、ＮＧ（ＯＫでない）であれば、ＮＧの信号を室内機から熱源機へ送信する（Ｓ１１）。尚、Ｓ６やＳ１１で送信されたＮＧの信号は、制御器５９が受信すると、表示器６２でエラーを表示する。
【００２５】
最後に、床暖房試運転をチェックする。床暖房試運転か否かを判断し（Ｓ１２）、床暖房試運転であれば、次にデータ解析中か否かを判定する（Ｓ１３）。データの解析中でなければ、データの解析は終了しているので、どのエアコン室内機に接続されている温度検知器が温度上昇を検知したかを判定する（Ｓ１４）。そして、どの室内機に接続された温度検知器が温度上昇したかを示す床暖房接続信号を送出する（Ｓ１５）。
【００２６】
前述のデータ解析中の具体的な制御を説明する。各室内機には温度検知器が接続され、この温度検知器の感温部は各室内機と同室（同室に２台設置の場合は最も近い場所）の温水マットの上に置かれている。このため、室内機３Ａが運転されると共に、ある開閉弁が開かれると、この開閉弁のつながれている温水マットの温度が上昇し、この温度を、温度検知器が検知すると、この温度検知器のつながれている室内機から、温度上昇を伝える信号（当然、この信号はどの室内機から送信されたかが解るようにアドレスコードも一緒に送信されている）が熱源機の制御器５９に送信される。この信号の送信を受けると、熱源機の制御器５９は、この開いている開閉弁のアドレスコードを室内機３Ａに対応したアドレスコードに設定する。この設定が済むと、室内機３Ａに向けて、床暖房運転の信号が送出されると（例えば、ワイヤレスリモコンで信号が送信されると）、この室内機３Ａに対応した開閉弁が開かれてこの開閉弁に温水管でつながれている温水マットに温水が供給されることになる。
【００２７】
１つ目の開閉弁のアドレスコードが設定されると、同様のアドレスコードの設定作業が順次行われ、次の開閉弁、その次の開閉弁、最後の開閉弁のように、全ての開閉弁にアドレスコードが設定される。このようにして、全ての開閉弁にアドレスコードが設定されると、熱源機の制御器は、室内機３Ａ、３Ｂ、３Ｃ、３Ｄとこの室内機３Ａ、３Ｂ、３Ｃ、３Ｄに対応する（同室に設置された、あるいは最も近い場所の）温水マットとの関係を把握できたことになる。
【００２８】
これで、室内機３Ａとこの室内機３Ａと同室に設置された（室内機３Ａに対応する）温水マットとに温水を供給することができるようにアドレスコードが設定されたことになる。
【００２９】
このように構成された空気調和装置では、次に説明するように動作する。図示しないワイヤレスリモコンから、室内機３Ａに向けて、室内機３の暖房運転と温水マットの運転を開始させる信号が送信されると、室内機３Ａが暖房運転を開始し、室内機３Ａの制御器を介して熱源機の制御器に温水マットを運転させる信号が送られる。この信号は室内機３Ａのアドレス信号も含んでおり、熱源機の制御器はこの室内機３Ａに対応した開閉弁がどの開閉弁か把握しているので、室内機３Ａに対応した開閉弁を開いて、室内機Ａに対応した温水マットに温水を流し、温水マットの運転を行う。尚、詳述しないが、温水マットのみの運転も可能であるが、この説明は省略する。
【００３０】
以上説明したように、開閉弁のアドレスコードの設定が、工事作業の終了後の試運転チェック時に行われるので、工事作業は室内機と温水マットとの組合せを全く考えることなくどんどん工事作業を進めることができる。このため、工事の作業効率を非常に向上させることができる。
【００３１】
しかも、ある室内機とこの室内機に対応する温水マットとの対応関係が、試運転時にアドレスコードを設定することにより関連付けされているので、床暖房運転時には同一の室に配置されている室内機と温水マットとの連携運転が可能である。また、室内機及び温水マットの接続作業に間違いが全く起こらず、工事作業の自由度が広がる。
【００３２】
図７に室内機３Ａだけに関する制御を説明したが、室内機はあと３台残っており、室内機Ａの試運転チェックが終了しないうちに、室内機３Ｂの試運転が始まるようになっている。例えば、室内機３Ａの暖房試運転が終わって、冷房試運転が始まると、同時に室内機３Ｂの暖房試運転が開始されるように制御手段６０により制御される。
【００３３】
この具体的な制御を図８に沿って説明する。最初に、室内機３Ａに水張りを行う（Ｓ２０）。室内機３Ａの水張りが終了したか否か判断し（Ｓ２１）、暖房試運転が未終了のときは室内機３Ａの暖房試運転を行う（Ｓ４２）。そして、Ｓ２２で水張りが終了していると次に室内機３Ａの暖房試運転が終了したか否か判断し（Ｓ２２）、暖房試運転が終了していると次に冷房試運転が終了したか否かを判断し（Ｓ２３）、冷房試運転が未終了のとき、すなわち冷房試運転中に室内機３Ｂの水張りを開始する（Ｓ２４）。Ｓ２３で室内機３Ａの冷房試運転が終了したと判断されると、室内機３Ｂの水張りが終了したか判断し（Ｓ２５）、室内機３Ｂの水張りが終了していると次に暖房試運転か否かを判断し（Ｓ２６）、室内機３Ｂの水張りが終了していると、室内機３Ａが冷房試運転か否かを判断し（Ｓ２７）、冷房試運転が終了しているとき、室内機３Ｃの水張りを開始する（Ｓ２８）。Ｓ２７で室内機３Ｂの水張りが終了していると判断されると、室内機３Ｃの水張り（Ｓ４０）、室内機３Ｄの制御へと続くが、詳細はほぼ同様なので省略する。尚、Ｓ２６で室内機３Ｂが暖房試運転未終了であると、暖房試運転を行う（Ｓ４１）。
【００３４】
全室内機の暖房試運転及び冷房試運転終了後、床暖房試運転か否か判断し（Ｓ２９）、床暖房試運転であれば、データ採取中か否かを判断し（Ｓ３０）、データ採取中でないと（データ採取終了であれば）判定を行い（Ｓ３１）、この判定が終了すると接続確認信号を出力する（Ｓ３２）。全ての温水マットの床暖房試運転が終了すると、試運転は終了する。
【００３５】
尚、「手段の異なる方法で暖房する」という言葉の意味は、次に説明する方法のうち、異なる２つの方法、あるいは３つの方法（２つ以上の方法）を用いるという意味である。熱の伝わり方には３つあって、１つ目は対流（例えば、エアコン室内機で温風を吹き出す方法）、２つ目は伝導（例えば、温水マットで床暖房する方法）、３つ目は放射（例えば、電気ストーブで足元などを直接放射熱で暖める方法）などがあるが、これらの伝わり方のうち、異なる２つあるいは３つの熱の伝わり方を用いて暖房するという意味である。
【００３６】
よって、この実施例ではエアコン室内機と温水マットとの組合せで説明したが、例えば、エアコン室内機と輻射パネルとの組合せや、温水マットと輻射パネルとの組合せや、エアコン室内機と温水マットと輻射パネルとの３つの組合せも考えられるが、これらの説明は省略する。
【００３７】
また、この発明では、試運転スイッチを押しボタン式のスイッチとして説明したが、切換えスイッチなどを使用しても良い。
【００３８】
【発明の効果】
この発明によれば、エアコンの室内機と温水マットとの組合せが制御手段により設定されるので、複数あるエアコンの室内機と温水マットとの組合せが把握されており、工事作業を自由に行っても、エアコンの室内機と温水マットとの組み合わせが誤って運転されるようなことはなく、自由に配管を接続できる。このため誤配管が全く起こらず、工事作業の自由度が広がり、工事作業の効率が上昇する。
【図面の簡単な説明】
【図１】  この発明の暖房装置を示す全体構成の説明図である。
【図２】  この発明の暖房装置の実施の形態を示すブロック図である。
【図３】  同暖房装置のあるセットの室内機及び温水マットを示す外観斜視図である。
【図４】  同暖房装置の室内機を示す回路図である。
【図５】  同暖房装置のエアコンの室外機を示す回路図である。
【図６】  同暖房装置の熱源機を示す回路図である。
【図７】  同暖房装置のある室内機だけの制御を示すフローチャートである。
【図８】  同暖房装置の制御手段の制御を示すフローチャートである。
【符号の説明】
１          暖房装置
２          熱源機
３Ａ、３Ｂ、３Ｃ、３Ｄ          エアコンの室内機
７Ａ、７Ｂ、７Ｃ、７Ｄ          制御弁
５９        制御器
６０        制御手段
６１        試運転スイッチ
１０１      熱源機
１０３Ａ、１０３Ｂ、１０３Ｃ    エアコンの室内機
１０４Ａ、１０４Ｂ、１０４Ｃ    温水マット
【図１】
0003653336.tif 000002
【図２】
0003653336.tif 000003
【図３】
0003653336.tif 000004
【図４】
0003653336.tif 000005
【図５】
0003653336.tif 000006
【図６】
0003653336.tif 000007
【図７】
0003653336.tif 000008
【図８】
0003653336.tif 000009